(57)【要約】      （修正有）【課題】簡易な構造でありながら、埋設物を損傷することがなく、効率的に土壌を吸引し、孔を形成することができる装置を提供する。【解決手段】土壌吸引装置は、土砂を排出する第１の管２と、空気を供給する第２の管３と、第１の管２の先端部でその内周面に沿って設けられる第３の管４と、第３の管４に設けられた複数の空気吐出口５とを有するものであり、第３の管４に等間隔に設けられた複数の空気吐出口５によって上方へ向かう強力な空気の流れを促進し、土砂をスムーズに地上に排出する。 【選択図】図２
0003138230.tif 000002
【実用新案登録請求の範囲】
【請求項１】
土砂を排出する第１の管と、空気を供給する第２の管と、第１の管の先端部でその内周面に沿って設けられる第３の管と、第３の管に設けられた複数の空気吐出口とを有することを特徴とする土壌吸引装置。
【請求項２】
第１の管が複数の中間ロッドに分割されており、中間ロッドを接続する接続部材を有する請求項１に記載の土壌吸引装置。
【考案の詳細な説明】
【技術分野】
【０００１】
この考案は、空気によって土壌を吸引し、孔を形成するための装置に関するものである。
【背景技術】
【０００２】
埋設管の設置・補修などの工事で土壌を掘削するために、シャベルやツルハシなどの工具や、特許文献１に記載されているようなダウンハンマーを有する掘削装置などが使用される。
【０００３】
また、特許文献２には、圧縮空気を用いて土壌を掘削するエア掘削機が記載されている。
【特許文献１】特開２００３−５６２７１号
【特許文献２】特開平１０−１９５９２１号
【考案の開示】
【考案が解決しようとする課題】
【０００４】
シャベルやツルハシなどの工具や、特許文献１に記載されているようなダウンハンマーを有する掘削装置などを使用することによって、掘削作業を効率化することができる。しかし、地中には、水道管やガス管などが埋設されている場合があり、このような掘削技術では、埋設物を破損させる恐れがある。したがって、埋設物のある現場では、作業者が注意しながら慎重に手作業で掘削を行う必要があり、迅速かつ安全な掘削は困難である。
【０００５】
特許文献２には、そのエア掘削機は埋設物を損傷することなく土壌を掘削できると記載されている。しかし、特許文献２に記載されたエア掘削機は、外筒の内部に斜吹きノズルと直下吹きノズルと吹上げノズルをそれぞれ一基ずつ備えた構造である。このようなノズルで掘削をしても、切削された土砂を外筒を通して排出する能力は高くない。したがって、深く掘削することはできない。特許文献２には、外筒や圧送管の内径は記載されているが（同文献００２６段落）、その長さは記載されていない。しかし、この文献の図１、図２、図５の記載を見る限り、外筒は極めて短いものであり、シャベルやツルハシなど手作業による場合と同程度の深さしか掘削できないと考えられる。
【０００６】
この考案は、簡易な構造でありながら、埋設物を損傷することがなく、効率的に土壌を吸引し、孔を形成することができる装置を提供することを目的とする。
【課題を解決するための手段】
【０００７】
上述の課題を解決するため、この考案の土壌吸引装置は、土砂を排出する第１の管と、空気を供給する第２の管と、第１の管の先端部でその内周面に沿って設けられる第３の管と、第３の管に設けられた複数の空気吐出口とを有する。これに加えて、第１の管が複数の中間ロッドに分割されており、中間ロッドを接続する接続部材を有するものとすることができる。
【考案の効果】
【０００８】
この考案の土壌吸引装置は、効果的に土砂を吸引し、土砂を地上にスムーズに排出し、地中の埋設物を損傷することなく孔を形成できるという効果を有する。
【考案を実施するための最良の形態】
【０００９】
この考案を実施するための最良の形態について説明する。図１は土壌吸引装置を示す一部断面正面図、図２は先端部の詳細を示す断面図、図３は同断面図である。土壌吸引装置１は、土砂を排出する第１の管２と、空気を供給する第２の管３と、第１の管の先端部でその内周面に沿って設けられる第３の管４と、第３の管に設けられた複数の空気吐出口５とを有する。
【００１０】
ここでは第１の管２には管３には外径７０ｍｍのアルミニウム管が、第２の管３には内径１３ｍｍのエアホースが用いられている。そして、第１の管２と第３の管は、その先端部付近において粘着テープ等の固定部材（図示省略）によって固定されている。
【００１１】
この例の土壌吸引装置１は３５００ｍｍ程度の長さであり、第１の管２の中間部分が複数の中間ロッド１０に分割されており、この中間ロッド１０は接続部材１１によって着脱可能となっている。先端部を含む先端部ロッド１２および中間ロッド１０は１０００ｍｍの長さであり、空気導入部および空気排出部を備えた上部ロッド１３は５００ｍｍである。
【００１２】
第１の管２の先端部は開放している。そして、この第１の管２の先端より１０ｃｍ上側の内周面に沿ってリング状管４が第３の管として取り付けられている。このリング状管４は、径１３ｍｍの金属の管をプレスして幅７ｍｍ程度の楕円状の断面になるように加工した後に、リング状に形成したものである。リング状管４は、内部の孔が周回するようにドーナツ状に形成してもよいが、ここでは一端部を閉じ、他端部をエアホースである第２の管３との接続口とした。
【００１３】
リング状管４の内側には、斜め上方向に直径４ｍｍの空気吐出口５が設けられている。リング状管４の長さ方向に沿って等間隔に８個の空気吐出口５を設けた。
【００１４】
第１の管２の先端付近は、短い最先端の管１４と、先端ロッド１２をカップリング（接続部材１１）により接続した構造になっている。最先端の管１４の上端と中間ロッド１２の下端の間にリング状管４を挟み、その外周をカップリング１１で囲むようにして接続することによって、このリング状管４は容易に設けることができる。
【００１５】
第２の管３の上端はコンプレッサー（図示省略）に接続される。また、第１の管２上端は横向きになっており、集塵袋１５を取り付けることができる。
【００１６】
次にこの土壌吸引装置の使用方法について説明する。はじめは、中間ロッド１０は使用せず、先端ロッド１２と上部ロッド１３を接続部材１１により接続する。第２の管３の上端にはコンプレッサーを接続する。ここでは、工事に用いられる７気圧の汎用のコンプレッサーを接続した。また、第１の管２の上端には集塵袋１５を取り付ける。コンプレッサーにより空気を第２の管３に送り込むと、その空気は第３の管４に供給され、空気吐出口５より第１の管２の内部に吐出される。この空気は、第１の管２の中心方向へ向けて斜め上に吐出されるので、第１の管２の内部を上昇する強い空気の流れを形成する。
【００１７】
こうして形成された吸引力によって、第１の管２の先端部付近の土砂は第１の管２の内部に吸い込まれる。土砂は、第１の管２の内部を通って上部へ運ばれ、第１の管２の上端に設けられた集塵袋に回収される。
【００１８】
第３の管４に等間隔に設けられた８個の空気吐出口５によって上方へ向かう強力な空気の流れを促進する。こうして形成された上向きの空気の流れによって、土砂はスムーズに地上に排出される。
【００１９】
土砂が吸い上げられることによって形成される地中の空隙に第１の管２の先端部が進入し、さらに深く掘り進められる。空気によって孔を掘り進めるので、地中に埋設物があっても損傷させるおそれがない。また、作業中に人や物品に接触しても、損傷させることがなく、安全な掘削作業が実現される。
【００２０】
ある程度掘り進んだら、コンプレッサーを停止し、中間ロッド１０を継ぎ足す。この着脱は、接続装置１１を介して簡単に行われる。中間ロッド１０を継ぎ足すことによって、より深く掘削を行うことができる。中間ロッド１０を２本加えると、３５００ｍｍ程度の深さまで、掘削できる。この土壌吸引装置１は軽量であり、中間ロッド１０を加えても一人の作業者が簡単に操作できるものである。
【図面の簡単な説明】
【００２１】
【図１】土壌吸引装置を示す一部断面正面図である。
【図２】先端部の詳細を示す断面図である。
【図３】同断面図である。
【符号の説明】
【００２２】
１．土壌吸引装置
２．第１の管
３．第２の管
４．第３の管
５．空気吐出口
１０．中間ロッド
１１．接続部材
１２．先端部ロッド
１３．上部ロッド
１４．最先端の管
１５．集塵袋
【図１】
0003138230.tif 000003
【図２】
0003138230.tif 000004
【図３】
0003138230.tif 000005
【手続補正書】
【提出日】平成19年10月22日(2007.10.22)
【手続補正１】
【補正対象書類名】実用新案登録請求の範囲
【補正対象項目名】請求項１
【補正方法】変更
【補正の内容】
【請求項１】
土砂を排出する第１の管と、空気を供給する第２の管と、第１の管の先端部でその内周面に沿って設けられる第３の管と、第３の管に設けられた第２の管との接続口と、第３の管に設けられた複数の空気吐出口と、を有することを特徴とする土壌吸引装置。
【手続補正２】
【補正対象書類名】明細書
【補正対象項目名】０００７
【補正方法】変更
【補正の内容】
【０００７】
上述の課題を解決するため、この考案の土壌吸引装置は、土砂を排出する第１の管と、空気を供給する第２の管と、第１の管の先端部でその内周面に沿って設けられる第３の管と、第３の管に設けられた第２の管との接続口と、第３の管に設けられた複数の空気吐出口とを有する。これに加えて、第１の管が複数の中間ロッドに分割されており、中間ロッドを接続する接続部材を有するものとすることができる。
【手続補正３】
【補正対象書類名】明細書
【補正対象項目名】００１０
【補正方法】変更
【補正の内容】
【００１０】
ここでは第１の管２には外径７０ｍｍのアルミニウム管が、第２の管３には内径１３ｍｍのエアホースが用いられている。そして、第１の管２と第２の管３は、その先端部付近において粘着テープ等の固定部材（図示省略）によって固定されている。